(57)【要約】【課題】新聞折込ちらしやカタログや航空機の搭乗者用の袋などが展開されて袋体として再利用されるとき、容易に完全な箱形に形成することができる。【解決手段】多目的角底封筒１は、紙片３を２枚重ねして平面で矩形状をなす袋体の四辺のやや内側に、前記各辺にほぼ平行に設けた第１折り目５Ｃが設けられており、前記袋体の４つの角部において各角部から前記各第１折り目５Ｃの交点に向けて斜めに第２折り目５Ｄが設けられている。さらに前記２枚重ねの紙片に封筒１を２分割すべくミシン目１３が設けられ、封筒１の外表面には印刷した宣伝広告部１７が広告面として設けられる。したがって、前記ミシン目１３から容易に切り離されて２つの袋体に分割され、各袋体は第１折り目５Ｃと第２折り目５Ｄで容易に折曲げられ、特に第２折り目５Ｄを封筒１の角部に斜めに設けたので容易に完全な箱形状に展開される。【選択図】      図１
2004155491.tif 000002
【特許請求の範囲】
【請求項１】
紙片を２枚重ねして平面で矩形状をなす袋体の左右両辺及び底辺のやや内側に、前記各辺にほぼ平行に設けた第１折り目と、前記袋体の底辺側の左右の角部において各角部から前記各第１折り目の交点に向けて斜めに設けた第２折り目と、前記袋体の外表面に印刷した宣伝広告部と、からなることを特徴とする多目的角底封筒。
【請求項２】
紙片を２枚重ねして平面で矩形状をなす袋体の左右両辺及び底辺のやや内側に、前記各辺にほぼ平行に設けた第１折り目と、前記袋体の底辺側の左右の角部において各角部から前記各第１折り目の交点に向けて斜めに設けた第２折り目と、前記袋体の２枚重ねの紙片の少なくとも一方の封緘部に開口部を形成すべく設けたミシン目と、前記袋体の外表面に印刷した宣伝広告部と、からなることを特徴とする多目的角底封筒。
【請求項３】
紙片を２枚重ねして平面で矩形状をなす袋体の四辺のやや内側に、前記各辺にほぼ平行に設けた第１折り目と、前記袋体の４つの角部において各角部から前記第１折り目の交点に向けて斜めに設けた第２折り目と、前記２枚重ねの紙片に前記袋体を２分割すべく設けたミシン目と、前記袋体の外表面に印刷した宣伝広告部と、からなることを特徴とする多目的角底封筒。
【請求項４】
前記ミシン目を、前記袋体の対向する２つの辺に対して斜めに設けてなることを特徴とする請求項３記載の多目的角底封筒。
【請求項５】
前記ミシン目を、前記袋体の対向する２つの辺の間のほぼ中央でほぼ平行に、且つ前記２枚重ねの紙片の一方に設けてなることを特徴とする請求項３記載の多目的角底封筒。
【発明の詳細な説明】
【０００１】
【発明の属する技術分野】
この発明は、新聞紙の折り畳みの内側に折り込まれる新聞折込ちらしとして使用されたり、あるいは物を入れる袋となる多目的角底封筒に関する。
【０００２】
【従来の技術】
従来、新聞折込ちらしは、配送センターから各新聞販売店へ配送され、各新聞販売店で、他の新聞折込ちらしと新聞一冊毎にセッティングされ、新聞紙の折り畳みの内側に折り込まれ、新聞紙と共に各家庭に配達されている。あるいは、広告宣伝用のカタログやちらしなどの広告印刷物は、新聞折り込みとしてではなく、他の広告配送システムにより種々のカタログやちらしと共に各家庭に配送されている。あるいは、広告用印刷物は、配送センターから各書店に配送され、各書店で販売される冊子や本に挟み込まれたり、前記雑誌や書籍を収納する包装袋の中に投入されることもある。
【０００３】
従来、広告用印刷物はちらし用紙に宣伝広告を印刷しただけのものが殆どであり、中には商品申込はがきが貼着あるいはミシン目で切り離し可能に設けられたものがある。あるいは、折り重ねられるちらし用紙の内側に見本品や試供品などの配布商品を収納した包装袋を貼着して構成された配布商品付新聞折込ちらしがある（例えば、特許文献１参照。）。あるいは、広告用印刷物が袋体として冊子や本の内部に綴じ込まれて、前記袋体の中にリーフレットが密封されているものがある（例えば、特許文献２参照。）。
【０００４】
一方、表面に広告が印刷されている封筒には、例えば航空機に搭乗するときに搭乗者に手渡される物の中に、屑入れや気分が悪くなったときに使用するための搭乗者用の袋がある。この袋は、平面で矩形状をなす袋の左右両辺及び底辺のやや内側に、折り目が前記各辺にほぼ平行に設けられているものや、封筒の左右両辺がそれぞれ断面でＭ字形状に折り込みされているものがある。なお、上記の多目的封筒の封緘部には開封するためのミシン目が設けられている。
【０００５】
【特許文献１】
特開２００１−２５３１８３号公報（〔００１０〕〜〔００１５〕、図４及び図５）。
【０００６】
【特許文献２】
特開平８−１３２７６７号公報（〔０００５〕、図４及び図５）。
【０００７】
【発明が解決しようとする課題】
ところで、従来、種々のちらしやカタログ等は毎日大量に印刷され、各家庭に配送されているのであるが、単にちらし用紙に宣伝広告を印刷しただけのものは、そのちらし広告が読まれた後には放置されたり捨てられていることになり、再利用されることはない。配布商品付新聞折込ちらしも同様に見本品や試供品など以外は捨てられることになり、再利用されることはない。あるいは、種々のちらしやカタログ等は読まれることなく捨てられるものが多いのが現状である。
【０００８】
また、前述した多目的封筒においては、必要に応じて封緘部のミシン目から開封して袋として使用されるとき、前者では左右両辺及び底辺に設けた折り目により、平面的な封筒からほぼ箱形の立体的な袋になるのであるが、底辺側の左右の角部をきちんとした箱形にするためには封筒の中に手を入れて適当に折り目を付ける必要があり、容易には完全な箱形にできず、型が悪い形状になってしまうという問題点があった。
【０００９】
後者の多目的封筒では、左右両辺は断面Ｍ字形状の折り目により容易に立体的になるのであるが、底辺側の左右の角部は封筒の中に手を入れてきちんとした箱形になるように折り目を付ける必要があり、前者の多目的封筒と同様に、容易には完全な箱形にできず、型が悪い形状になってしまうという問題点があった。
【００１０】
この発明は上述の課題を解決するためになされたもので、その目的は、各家庭に配達された新聞折込ちらしやカタログなどが袋体として再利用されるとき、あるいは航空機の搭乗者用の袋として、あるいは他の分野で配布された広告用印刷物が袋として利用されるとき、容易に完全な箱形に形成することのできる多目的角底封筒を提供することにある。
【００１１】
【課題を解決するための手段】
上記目的を達成するために請求項１によるこの発明の多目的角底封筒は、紙片を２枚重ねして平面で矩形状をなす袋体の左右両辺及び底辺のやや内側に、前記各辺にほぼ平行に設けた第１折り目と、前記袋体の底辺側の左右の角部において各角部から前記各第１折り目の交点に向けて斜めに設けた第２折り目と、前記袋体の外表面に印刷した宣伝広告部と、からなることを特徴とするものである。
【００１２】
したがって、多目的角底封筒は、第１折り目と第２折り目で容易に折曲げられる。特に封筒の角部に斜めに設けた第２折り目に従って袋を折ることにより、平面的な袋からマチのある立体的な完全な箱形状に容易に展開される。その結果、多目的角底封筒は宣伝広告だけではなく、完全な箱形の角底袋として使用される環境に優しい多用途的なものとなる。
【００１３】
請求項２によるこの発明の多目的角底封筒は、紙片を２枚重ねして平面で矩形状をなす袋体の左右両辺及び底辺のやや内側に、前記各辺にほぼ平行に設けた第１折り目と、前記袋体の底辺側の左右の角部において各角部から前記各第１折り目の交点に向けて斜めに設けた第２折り目と、前記袋体の２枚重ねの紙片の少なくとも一方の封緘部に開口部を形成すべく設けたミシン目と、前記袋体の外表面に印刷した宣伝広告部と、からなることを特徴とするものである。
【００１４】
したがって、多目的角底封筒は、前記ミシン目から容易に切り離されて袋体の開口部が設けられ、この袋体は第１折り目と第２折り目で容易に折曲げられる。特に封筒の角部に斜めに設けた第２折り目に従って袋を折ることにより、平面的な袋からマチのある立体的な完全な箱形状に容易に展開される。その結果、多目的角底封筒は宣伝広告だけではなく、完全な箱形の角底袋として使用される環境に優しい多用途的なものとなる。
【００１５】
請求項３によるこの発明の多目的角底封筒は、紙片を２枚重ねして平面で矩形状をなす袋体の四辺のやや内側に、前記各辺にほぼ平行に設けた第１折り目と、前記袋体の４つの角部において各角部から前記第１折り目の交点に向けて斜めに設けた第２折り目と、前記２枚重ねの紙片に前記袋体を２分割すべく設けたミシン目と、前記袋体の外表面に印刷した宣伝広告部と、からなることを特徴とするものである。
【００１６】
したがって、多目的角底封筒は、前記ミシン目から容易に切り離されて２つの袋体に分割される。この２つの各袋体は、第１折り目と第２折り目で容易に折曲げられる。特に封筒の角部に斜めに設けた第２折り目に従って袋を折ることにより、平面的な袋からマチのある立体的な完全な箱形状に容易に展開される。その結果、多目的角底封筒は宣伝広告だけではなく、完全な箱形の角底袋として使用される環境に優しい多用途的なものとなる。
【００１７】
その結果、多目的角底封筒は宣伝広告だけではなく、完全な箱形の角底袋として使用される環境に優しい多用途的なものとなる。
【００１８】
請求項４によるこの発明の多目的角底封筒は、請求項３記載の多目的角底封筒において、前記ミシン目を、前記袋体の対向する２つの辺に対して斜めに設けてなることを特徴とするものである。
【００１９】
したがって、多目的角底封筒は、前記ミシン目から切り離されると、斜めの開口部を有する２つの袋体に分割され、用途に応じた大きさ、形状の開口部が形成される。
【００２０】
請求項５によるこの発明の多目的角底封筒は、請求項３記載の多目的角底封筒において、前記ミシン目を、前記袋体の対向する２つの辺の間のほぼ中央でほぼ平行に、且つ前記２枚重ねの紙片の一方に設けてなることを特徴とするものである。
【００２１】
したがって、多目的角底封筒は、２枚重ねの一方の紙片のミシン目から長さ方向のほぼ中央で容易に切り離されて２つの袋体が形成される。このとき、２枚重ねの他方の紙片はつながっているので、つながった状態の２つの袋体がほぼ同じ高さに形成される。
【００２２】
【発明の実施の形態】
以下、この発明の実施の形態について図面を参照して説明する。なお、この実施の形態では、各図の特に展開図において、切断線及び外形線は実線で、折り目は２点鎖線で、ミシン目は点線で図示されている。
【００２３】
図１及び図６を参照するに、この第１の実施の形態に係わる多目的角底封筒１は、図６に示されているように例えば１枚の展開紙片３が長手方向（図６において左右方向）のほぼ中央の折り目５Ａで折り畳まれて２枚重ねされて平面で矩形状をなし、この矩形状の前記折り目５Ａ以外の各３辺に設けた折込片７が折り目５Ｂで折曲げられ、各折込片７によって貼り付けられて図１に示されているように多目的角底封筒１に形成されている。
【００２４】
つまり、前述した多目的角底封筒１は、予め箱形状に展開可能とするための折り目が前記箱形状の稜線となる位置に設けられている。この折り目としては、第１折り目としての例えば折り目５Ｃが前記矩形状の各側縁にほぼ平行な間隔を介して２枚重ねの両方の紙片３Ａ，３Ｂ（紙片３Ｂは図１の紙面に対して直交する裏側に位置しているので、引き出し線を点線で示している）に設けられている。また、前記各折り目５Ｃの交点１１が紙片３Ａ，３Ｂの４隅に形成されており、この交点１１から隅部に向けた対角線上にも斜めに第２折り目としての例えば折り目５Ｄが設けられている。
【００２５】
したがって、多目的角底封筒１が袋として展開されるときは、図２に示されているように折り目５Ｃで容易に断面四角形に展開され、特に底部のコーナ部が上記の折り目５Ｄを設けたことによって完全な角底の状態に容易に展開され箱形形状となる。
【００２６】
さらに、上記の多目的角底封筒１には図１において上下方向のほぼ中央で切り離して２分割するためのミシン目１３が２枚重ねの紙片３Ａ，３Ｂの両方に設けられている。したがって、ミシン目１３で切り離されると、図２に示されているように２つの分割袋体９Ａ，９Ｂが形成されることになり、ミシン目１３の切り口が各分割袋体９Ａ，９Ｂの開口部１５Ａとなるものである。
【００２７】
また、この分割袋体９Ａ，９Ｂの外表面は、商品などの広告情報を印刷した宣伝広告部１７を設けて広告面として用いるのが好ましい。この宣伝広告部１７としては、多目的角底封筒１の外表面に直接的に印刷されても、あるいは予め商品などの広告情報を印刷したシールなどが貼着されても構わない。
【００２８】
また、上記の多目的角底封筒１の外表面は、前記宣伝広告部１７の広告商品の割引きなどの特典を付与する割引マークといった特典マーク（図示省略）を直接的に印刷するか、あるいは前記特典マークを印刷した特典シールを貼着しても構わない。
【００２９】
上記構成の多目的角底封筒１は、例えば新聞折込ちらしとして配送センターから各新聞販売店に配送される。この多目的角底封筒１は他の新聞折込ちらしと新聞一冊毎にセッティングされ、新聞紙の折り畳みの内側に折り込まれ、新聞紙と共に各家庭に配達される。あるいは、他の広告配送システムにより種々のカタログやちらしと共に各家庭に配送される。あるいは、配送センターから各書店に配送され、各書店で販売される冊子や本に挟み込まれたり、前記雑誌や書籍を収納する包装袋の中に投入される。あるいは、他の物流システムによって人の手に渡されることもある。
【００３０】
なお、上記の多目的角底封筒１の表面には、例えば「このちらしを持ってきた人は、購入希望商品に対して割引きの特典があります。」といった特典の説明が記載されている。
【００３１】
上記の多目的角底封筒１の宣伝広告を見てその中の広告品を購入したい人（購入希望者）が、上記の多目的角底封筒１を宣伝広告主の店に持っていくと、宣伝広告主により多目的角底封筒１がミシン目１３から切り離されて２つの分割袋体９Ａ，９Ｂに分割される。この２つの各分割袋体９Ａ，９Ｂは、図２に示されているように折り目５Ｃ及び５Ｄで折曲げられる。特に多目的角底封筒１の隅部の対角線上に設けた折り目５Ｄは、容易に完全な箱形状に展開可能にし、開口部１５Ａを有する２つの分割袋体９Ａ，９Ｂとなる。
【００３２】
次いで、宣伝広告主は、上記の開口部１５Ａから購入希望品を各分割袋体９Ａ，９Ｂに収納して購入者に手渡す際に、予め設定された特典に応じて購入希望商品に対して例えば割引きを行うのである。したがって、上記の多目的角底封筒１は、上記の特典により宣伝効果が向上すると共に、宣伝広告だけでなく広告商品の包装袋としても使用されることになるので、環境に優しい多用途的なものとなる。
【００３３】
あるいは、上記の特典が宣伝広告主ではなく宣伝広告業者が企画した場合は、宣伝広告業者が予め宣伝広告主としての例えばスーパーマーケットの責任者と上記の特典について提携しておくことによっても行うことができる。
【００３４】
次に、上記の第１の実施の形態の多目的角底封筒１の製造方法について説明する。多目的角底封筒１は、図３に示されているように１枚の紙片から展開される（詳しくは、図６の拡大展開図を参照）。この展開紙片３は、インライン設備において図３に示されているような切断用金型１９により、展開紙片３の外周の輪郭３Ｃで切断されると同時に、各折り目５Ａ，５Ｂ，５Ｃ，５Ｄ、及びミシン目１３が入れられる。
【００３５】
図３においては、切断用金型１９が説明の便宜上、展開紙片３に対して直交する方向に図示されているが、実際にはインライン設備で送り出されて図示せざるプレス台上に位置決めされた紙片３に対して切断用金型１９の刃が直交する方向に上下動する構成である。
【００３６】
例えば、上記の切断用金型１９には、図３に示されているように展開紙片３の切断線並びに外形線３Ｃに対応する切断線用の刃１９Ａと、折り目５Ａ，５Ｂ，５Ｃ，５Ｄに対応する折り目用の刃１９Ｂと、ミシン目１３に対応するミシン目用の刃１９Ｃが一体的に設けられている。なお、図４は、上記の切断用金型１９の図３において左斜め上の部分を拡大して図示されたものであり、この部分の紙片３の切断状態は図４に示されているようになる。
【００３７】
折り目用の刃１９Ｂは、図５（Ａ）に示されているように先端断面がほぼ台形形状をなしており、しかも切断線用の刃１９Ａに対して展開紙片３の厚みの例えば５０％程度の深さの差をもって浅く設けられている。また、ミシン目用の刃１９Ｃは鋸刃状となっており、鋸刃の先端は切断線用の刃１９Ａと同様の高さであるが、鋸刃の歯間の溝深さは紙片３の厚さ以上に構成されている。
【００３８】
また、切断用金型１９が下降して紙片３が切断されるとき、切断線用の刃１９Ａと折り目用の刃１９Ｂが図５（Ａ）の２点鎖線から実線の位置へ下降し、図５（Ｂ）に示されているように展開紙片３の外形線は切断される。一方、各折り目５Ａ，５Ｂ，５Ｃ，５Ｄは紙片３の厚さのほぼ５０％の深さまでプレスされることになる。
【００３９】
なお、ミシン目用の刃１９Ｃは図５（Ａ）に図示されていないが同時に下降して展開紙片３にミシン目１３が設けられる。
【００４０】
したがって、切断用金型１９による一回のプレスで、上記の切断線並びに外形線３Ｃと、折り目５Ａ，５Ｂ，５Ｃ，５Ｄと、ミシン目１３とのカッティングが同時に行われ、図３及び図６に示されているように多目的角底封筒１の展開紙片３がインライン設備にて量産される。
【００４１】
次に、この発明の第２の実施の形態の多目的角底封筒２１について説明する。前述した第１の実施の形態の多目的角底封筒１と同様の部分は同符号にて説明する。また、異なる部分のみ説明し、他は同様である。
【００４２】
図７を参照するに、前述した第１の実施の形態の多目的角底封筒１は、ミシン目１３が図１において左右方向に延伸されるように設けられており、これに対応して切断用金型１９においてもミシン目用の刃１９Ｃが長手方向（図３においてほぼ左右方向）に延伸されているが、この第２の実施の形態の多目的角底封筒２１においては、ミシン目１３が図７において上下方向に延伸するように設けられており、これに対応して多目的角底封筒２１を切断するための切断用金型（図示省略）においてはミシン目用の刃１９Ｃが長手方向に直交する方向（図３で言えばほぼ上下方向に該当）に２箇所に延伸されるものである。
【００４３】
上記の第２の実施の形態の多目的角底封筒２１は、第１の実施の形態の多目的角底封筒１と同様に、ミシン目１３から切り離されて２つの分割袋体９Ｃ，９Ｄに分割される。この２つの各分割袋体９Ｃ，９Ｄは、図８に示されているように折り目５Ｃ及び５Ｄで折曲げられ、特に多目的角底封筒２１の隅部の対角線上に設けた折り目５Ｄにより容易に完全な箱形状に展開され、開口部１５Ｂを有する分割袋体９Ｃ，９Ｄとなる。
【００４４】
次に、この発明の第３の実施の形態の多目的角底封筒２３について説明する。前述した第１の実施の形態の多目的角底封筒１と同様の部分は同符号にて説明する。また、異なる部分のみ説明し、他は同様である。
【００４５】
図９を参照するに、前述した第１の実施の形態の多目的角底封筒１は、ミシン目１３が多目的角底封筒１の図１において上下の対向する２辺に対してほぼ平行に図１において左右方向に延伸されるように設けられているが、この第３の実施の形態の多目的角底封筒２３においては、ミシン目１３が図９において上下の対向する２辺に対して斜め方向に延伸されるように設けられている。これに対応して多目的角底封筒２３を切断するための切断用金型（図示省略）は図３で言えば折り目５Ａ用の刃１９Ｂを中心にして左右対称となるように２箇所のミシン目用の刃１９Ｃが斜め方向に延伸されるものである。
【００４６】
上記の第３の実施の形態の多目的角底封筒２３は、ミシン目１３から切り離されて２つの分割袋体９Ｅ，９Ｆに分割される。この２つの各分割袋体９Ｅ，９Ｆは、図１０に示されているように折り目５Ｃ及び５Ｄで折曲げられ、特に多目的角底封筒２３の隅部の対角線上に設けた折り目５Ｄにより容易に完全な箱形状に展開される。開口部１５Ｃが斜めの切り口を有する分割袋体９Ｅ，９Ｆとなり、商品によってはこのような開口部１５Ｃの方が扱いやすい場合があるので、ミシン目１３の入れ方により種々の商品用の包装袋として適用可能である。
【００４７】
次に、この発明の第４の実施の形態の多目的角底封筒２５について説明する。前述した第１の実施の形態の多目的角底封筒１と同様の部分は同符号にて説明する。また、異なる部分のみ説明し、他は同様である。
【００４８】
図１１を参照するに、前述した第１の実施の形態の多目的角底封筒１は、ミシン目１３が２枚重ねの紙片３Ａ，３Ｂの両方に対して図１において左右方向に延伸されるように設けられており、これに対応して切断用金型１９においてもミシン目用の刃１９Ｃが長手方向（図３においてほぼ左右方向）の全長に亘って延伸されているが、この第４の実施の形態の多目的角底封筒２５においては、ミシン目１３が２枚重ねの一方の紙片３Ｂに対して図１１において左右方向に延伸するように、しかも上下方向の長さのほぼ中央に設けられており、前記２枚重ねの他方の紙片３Ａには図１２に示されているように折り目５Ｅが設けられている。なお、この折り目５Ｅについて詳しくは、前記２枚重ねの他方の紙片３Ａの図１１において左右の折り目５Ｃの間に形成されるものである。
【００４９】
さらに、上記のミシン目１３の図１１において左右方向のほぼ中央には、ミシン目１３を容易に切り開くようにするための切込み線２７が部分的に設けられ、この切込み線２７の周囲を適当な範囲で取り囲むように折り目５Ｆが設けられている。この折り目５Ｆは上記の切込み線２７に指を入れて紙片３Ｂを容易に掴み易くするためのものである。
【００５０】
この第４の実施の形態の多目的角底封筒２５を切断するための切断用金型（図示省略）においては、図３で言えばミシン目用の刃１９Ｃの部分が、展開紙片３に対応して折り目５Ｅ用の刃１９Ｂと、切込み線２７の切断用の刃１９Ａが部分的に設けられ、この切断用の刃１９Ａと前記折り目５Ｅ用の刃１９Ｂ以外の残りの部分はミシン目用の刃１９Ｃとなる。また、上記の切断用の刃１９Ａの周囲には折り目５Ｆ用の刃１９Ｂが設けられている。
【００５１】
上記の第４の実施の形態の多目的角底封筒２５は、折り目５Ｆがあるので切込み線２７に容易に指を入れて紙片３を掴むことができ、多目的角底封筒２５がミシン目１３から切り離されることにより２つの分割袋体９Ｇ，９Ｈに容易に分割されるが、折り目５Ｅによりつながっているので、それぞれ独立した２つの分割袋体９Ｇ，９Ｈには分断されない。この２つの分割袋体９Ｇ，９Ｈは、図１２に示されているように折り目５Ｃ、５Ｄ及び５Ｅで折曲げられ、特に多目的角底封筒２５の隅部の対角線上に設けた折り目５Ｄにより容易に箱形状に展開され、開口部１５Ｄを有する２つの分割袋体９Ｇ，９Ｈがつながった状態となる。
【００５２】
次に、この発明の第５の実施の形態の多目的角底封筒２９について説明する。前述した第１の実施の形態の多目的角底封筒１と同様の部分は同符号にて説明する。また、異なる部分のみ説明し、他は同様である。
【００５３】
図１３及び図１７を参照するに、この第５の実施の形態に係わる多目的角底封筒２９は、図１７に示されているように例えば１枚の展開紙片３１が長手方向（図１７において左右方向）のほぼ中央の折り目５Ａで折り畳まれて２枚重ねされて平面で矩形状をなし、この矩形状の前記折り目５Ａ以外の各３辺に設けた折込片７（図１３において上部の折込片７Ａも含む）が折り目５Ｂで折曲げられ、各折込片７，７Ａによって貼り付けられて多目的角底封筒２９に形成されている。
【００５４】
また、前記多目的角底封筒２９には、予め当該多目的角底封筒２９が箱形状に展開可能とするための折り目が前記箱形状の稜線となる位置に設けられている。前記折り目としては、この第５の実施の形態では、第１折り目としての例えば折り目５Ｃが前記矩形状の３つの側縁にほぼ平行な間隔を介して２枚重ねの両方の紙片３１Ａ，３１Ｂに設けられている。また、上記の折り目５Ｃの交点１１が多目的角底封筒２９の図１３において下部の２隅に形成されており、この交点１１から多目的角底封筒２９の隅部に向けた対角線上に斜めに第２折り目としての例えば折り目５Ｄが設けられている。
【００５５】
さらに、上記の多目的角底封筒２９には、前記矩形状の図１３において上部の封緘部の２枚重ねの一方の紙片３１Ｂを切り離して多目的角底封筒２９の開口部１５Ｅを形成するためのミシン目３５が２枚重ねの一方の紙片３１Ｂに設けられている。つまり、図１７においては、折り目５Ａに対して右側の紙片３１Ｂの上部に前記折込片７Ａが封緘部として貼り付けられる範囲とほぼ同様な範囲で切り離すべくミシン目３５が設けられている。
【００５６】
したがって、上記の折込片７Ａはミシン目３５の範囲内に貼り付けられるものであり、折込片７Ａが貼り付けられる前の状態は図１４に示されている。折込片７Ａには予め貼り付けられない部分を設けることによって、その部分を容易に指で掴んでミシン目３５から容易に切り離すことができる。この多目的角底封筒２９は、図１５に示されているように折り目５Ｃ及び５Ｄで折曲げられ、特に多目的角底封筒２９の隅部の対角線上に設けた折り目５Ｄにより容易に箱形状に展開され、ミシン目３５の切り口が多目的角底封筒２９の開口部１５Ｅとなる。
【００５７】
図１６を参照するに、この第５の実施の形態の多目的角底封筒２９の切断用金型３７は、展開紙片３１の切断線並びに外形線３１Ｃに対応する切断線用の刃１９Ａと、折り目５Ａ，５Ｂ，５Ｃ，５Ｄに対応する折り目用の刃１９Ｂと、ミシン目３５に対応するミシン目用の刃１９Ｃが一体的に設けられている。図３に示される第１の実施の形態の多目的角底封筒１の切断用金型３７とほぼ同様であるので、詳しい説明は省略する。
【００５８】
なお、上記の第２〜第５の実施の形態の多目的角底封筒２１，２３，２５，２９は、前述した第１の実施の形態の多目的角底封筒１と同様に用いることができるが、その他に第１の実施の形態の多目的角底封筒１も含めて例えば航空機の搭乗者用に用いたり、あるいはその他の分野でも利用可能である。
【００５９】
なお、この発明は前述した実施の形態に限定されることなく、適宜な変更を行うことによりその他の態様で実施し得るものである。
【００６０】
【発明の効果】
以上のごとき発明の実施の形態の説明から理解されるように、請求項１の発明によれば、多目的角底封筒は、第１折り目と第２折り目で容易に折曲げることができ、特に第２折り目を封筒の角部に斜めに設けたので、第２折り目に従って袋を折ることにより、平面的な袋からマチのある立体的な完全な箱形状に容易にできる。その結果、宣伝広告だけではなく、完全な箱形の角底袋として使用される環境に優しい多用途的な多目的角底封筒を提供できる。
【００６１】
請求項２の発明によれば、多目的角底封筒は、ミシン目から容易に切り離して袋体の開口部を形成できる。しかも、第１折り目と第２折り目で容易に折曲げることができ、特に第２折り目を封筒の角部に斜めに設けたので、第２折り目に従って袋を折ることにより、平面的な袋からマチのある立体的な完全な箱形状に容易にできる。その結果、宣伝広告だけではなく、完全な箱形の角底袋として使用される環境に優しい多用途的な多目的角底封筒を提供できる。
【００６２】
請求項３の発明によれば、多目的角底封筒は、ミシン目から容易に切り離して２つの袋体に分割できる。この２つの各袋体は、第１折り目と第２折り目で容易に折曲げることができ、特に第２折り目を封筒の角部に斜めに設けたので、第２折り目に従って袋を折ることにより、平面的な袋からマチのある立体的な完全な箱形状に容易にできる。その結果、宣伝広告だけではなく、完全な箱形の角底袋として使用される環境に優しい多用途的な多目的角底封筒を提供できる。
【００６３】
請求項４の発明によれば、多目的角底封筒は、ミシン目から切り離して斜めの開口部を有する２つの袋体に分割できる。すなわち、用途に応じた大きさ、形状の開口部を設けることができる。
【００６４】
請求項５の発明によれば、多目的角底封筒は、２枚重ねの一方の紙片のミシン目から長さ方向のほぼ中央で容易に切り離して２つの袋体を形成できる。しかも、２枚重ねの他方の紙片がつながっているので、つながった状態の２つの袋体をほぼ同じ高さに形成でき、各袋体を容易に完全な箱形状に展開できる。
【図面の簡単な説明】
【図１】この発明の第１の実施の形態の多目的角底封筒の平面図である。
【図２】図１の多目的角底封筒をミシン目から２つの分割袋体に分割した斜視図である。
【図３】図１の多目的角底封筒の展開紙片と、この展開紙片を形成する切断用金型の斜視図である。
【図４】図３の切断用金型における左斜め上の部分の拡大斜視図及びカッティングされる展開紙片の部分的な斜視図である。
【図５】（Ａ）は切断用金型でカットされる状態説明図で、（Ｂ）は展開紙片のカッティング状態断面図である。
【図６】第１の実施の形態の多目的角底封筒の展開紙片の平面図である。
【図７】この発明の第２の実施の形態の多目的角底封筒の平面図である。
【図８】図７の多目的角底封筒をミシン目から２つの分割袋体に分割した斜視図である。
【図９】この発明の第３の実施の形態の多目的角底封筒の平面図である。
【図１０】図９の多目的角底封筒をミシン目から２つの分割袋体に分割した斜視図である。
【図１１】この発明の第４の実施の形態の多目的角底封筒の平面図である。
【図１２】図１１の多目的角底封筒をミシン目から２つの分割袋体に分割した斜視図である。
【図１３】この発明の第５の実施の形態の多目的角底封筒の平面図である。
【図１４】図１３の多目的角底封筒の折込片７Ａを貼る前の平面図である。
【図１５】図１３の多目的角底封筒をミシン目を切り離して開口部を形成し展開した斜視図である。
【図１６】図１３の多目的角底封筒の展開紙片と、この展開紙片を形成する切断用金型の斜視図である。
【図１７】第５の実施の形態の多目的角底封筒の展開紙片の平面図である。
【符号の説明】
１，２１，２３，２５，２９  多目的角底封筒（第１〜第５の実施の形態の）
３  展開紙片
３Ａ，３Ｂ  紙片
３Ｃ  輪郭（展開紙片３の外周の）
５Ａ〜５Ｆ  折り目
７  折込片
９Ａ〜９Ｈ  分割袋体（第１〜第５の実施の形態の）
１１  交点
１３，３５  ミシン目
１５Ａ〜１５Ｅ  開口部（第１〜第５の実施の形態の）
１７  宣伝広告部（広告面）
１９，３７  切断用金型
１９Ａ  刃（切断線用の）
１９Ｂ  刃（折り目用の）
１９Ｃ  刃（ミシン目用の）
３１  展開紙片
３１Ａ，３１Ｂ  紙片（第５の実施の形態の）
３１Ｃ  外形線（展開紙片３１の外周の）
【図１】
2004155491.tif 000003
【図２】
2004155491.tif 000004
【図３】
2004155491.tif 000005
【図４】
2004155491.tif 000006
【図５】
2004155491.tif 000007
【図６】
2004155491.tif 000008
【図７】
2004155491.tif 000009
【図８】
2004155491.tif 000010
【図９】
2004155491.tif 000011
【図１０】
2004155491.tif 000012
【図１１】
2004155491.tif 000013
【図１２】
2004155491.tif 000014
【図１３】
2004155491.tif 000015
【図１４】
2004155491.tif 000016
【図１５】
2004155491.tif 000017
【図１６】
2004155491.tif 000018
【図１７】
2004155491.tif 000019